(57)【要約】【課題】  大型化するピックアップを搭載しながら、薄型の光ディスクドライブ装置において、特別な部材を設けることなく、光ディスクのターンテーブルへの装着時に光ディスクの傾きによるピックアップとの接触を回避し、光ディスクの損傷を防止する光ディスク装置を提供する。【解決手段】  トラバースユニットを回動降下する工程の前あるいは工程中においてピックアップを光ディスクの外周方向の所定の位置に移動させ、トラバースユニットの降下完了時点におけるピックアップの保持位置がトラバースユニットの最下点位置よりも上方に位置するようにし、トラバースユニットが回動して上昇する工程中においてピックアップを光ディスクの内周方向の所定の位置に移動させ、ピックアップが光ディスクと接触しないようにトラバースユニットの上昇完了時点におけるピックアップの停止位置を前記光ディスクの最内周の情報の記録、あるいは再生の開始する位置とする。【選択図】  図３
2008077694.tif 000002
【特許請求の範囲】
【請求項１】
光ディスクドライブ装置における筐体の前面と該筐体の内部との間で光ディスクを進退自在に挿入、排出するディスク搬送部材と、前記筐体内部において前記光ディスクを回転自在に装着するターンテーブルと、前記ターンテーブルに装着された前記光ディスクに対し半径方向に摺動自在に移動して前記光ディスクに情報を記録あるいは再生するピックアップと、前記ピックアップと前記ターンテーブルとを搭載して回動自在に昇降するトラバースユニットとを有する光ディスクドライブ装置において、
前記光ディスクと前記ターンテーブルのチャキングを解除するために前記トラバースユニットを回動して降下させる際に、前記トラバースユニットを回動降下する工程の前あるいは工程中において、前記ピックアップを前記光ディスクの外周方向の所定の位置に移動させ、該トラバースユニットの降下完了時点における前記ピックアップの保持位置が該トラバースユニットの最下点位置よりも上方に位置するようにし、
前記光ディスクと前記ターンテーブルのチャキングを行うために前記トラバースユニットを回動させて上昇させる際に、前記トラバースユニットが回動して上昇する工程の前において、前記光ディスクの前記ターンテーブルへのチャキング時に生じる傾きに関わらず前記ピックアップを前記光ディスクと接触しない前記光ディスクの内周方向の所定の位置に移動させた後に前記トラバースユニットを上昇させ、該トラバースユニットの上昇完了時点における前記ピックアップの停止位置を前記光ディスクの最内周の情報の記録、あるいは再生を開始する位置に移動させる
ことを特徴とする光ディスクドライブ装置。    
【発明の詳細な説明】
【技術分野】
【０００１】
本発明は、光ディスクドライブ装置に係わり、特に光ディスクをスロットイン方式、またはトレイ方式によって装置内部に挿入し、装置内部において昇降自在な光ディスク回転駆動機構に装着する光ディスクドライブ装置における光ディスクの装着時の損傷防止に関するものである。
【背景技術】
【０００２】
パーソナルコンピュータに搭載される光ディスクドライブ装置における大きなニーズとして、光ディスクの光ディスクドライブ装置への装填の簡便性とともに、光ディスクドライブ装置の薄型、小型がある。この両ニーズを実現するものとして、光ディスクを光ディスクドライブ装置に直接挿入するか、トレイ上に載せて装置内に搬入して、装置内に載置されているディスク回転駆動機構に自動的に装着する方法が好適とされている。
【０００３】
また、これらの方法において、装置内に搬送された光ディスクをディスク回転駆動機構に装着する構成は、ディスク回転駆動機構と一体構造とされたディスク装着部材を有するターンテーブルと、光ディスクに信号を記録、再生するために光ディスクの最内周と最外周との間を径方向に移動可能なピックアップを搭載したトラバースユニットを回動自在に昇降可能な構造として対応されている。
【０００４】
さらには、光ディスクは内周側に情報に関わる種々のデータが記録されているために、まず情報の記録、再生の開始時点に内周側においてフォーカス引き込み操作等を含めて行うことから、一般的には、光ディスクとターンテーブルのチャキングを解除した後にけるトラバースユニット上でのピックアップの停止位置は光ディスクの最内周としていた。
【０００５】
ただ、近年、光ディスクドライブ装置は、各種の記録方式の光ディスクに対応するために、ピックアップが大型化の傾向にある。このため、ピックアップの下端部が、光ディスクと係合するターンテーブルより下部まで及ぶ状況にあり、構造的にトラバースユニットの最下点位置を占める状態にある。しかるに、ピックアップが従来のように光ディスクの内周側において停止していると、トラバースユニットの回動降下時において、ピックアップは光ディスクドライブ装置の下面側に配置される回路基板と干渉することになる。よって、これらの状況においてピックアップと回路基板の接触を回避するには、回路基板の実装密度をあげて回路基板の有効面積を縮小するか、回路基板を下に移動することによりピックアップの降下時のスペースを確保することが考えられるが、これでは、光ディスクドライブ装置の低コスト化や薄型化を阻害することになる。
【０００６】
そのためトラバースユニットの回動降下時にピックアップが最下点に位置しないようにする方法として、特許文献１（特開２００５−３８４８３号公報）に開示されているように、光ディスクとピックアップのチャキングの解除後にピックアップの停止位置を外周側に移動する技術が考えられている。しかし、ピックアップを外周側に移動させることにより、逆にトラバースユニットの回動降下にも関わらずピックアップが光ディスクの挿入、排出位置に近づくことになる。よって、光ディスクが何らかの外力によって傾いた場合には、光ディスクがピックアップと接触しやすいことになる。
【０００７】
ディスク保持回転手段の支持面に対して所定角度傾く可能性のある光ディスクに対し、光ディスクの傾きを規制して、ピックアップと接触を回避させ光ディスクの損傷を防止する技術が特許文献２（特開平１０−１０６２４８号公報）に開示されている。
【０００８】
【特許文献１】特開２００５−３８４８３号公報
【特許文献２】特開平１０−１０６２４８号公報
【発明の開示】
【発明が解決しようとする課題】
【０００９】
光ディスクドライブ装置の種々の光ディスクに対応する高機能化への要求と、薄型、小型化への要求に対応するには相反する要素を有している。この相反する要求は、構成部品の形状や配置による工夫をなした対応技術においても、時として新たな課題を呈することになる。
【００１０】
特許文献１に記載されている光ディスクドライブ装置は、光ディスクをスロットイン、またはトレイによる装置への挿入,排出方法による光ディスクドライブ装置であり、光ディスクは光ディスクドライブ装置の装填面に対し水平方向に挿入および排出され、ターンテーブルを搭載したトラバースユニットが回動自在に昇降すものである。光ディスクの挿入、排出時に光ディスクの装着位置から退避したトラバースユニットの降下状態において、大型化するピックアップの占有空間が下限位置とならないようにするために、ピックアップを光ディスクの外周側に移動させて停止している。この方法は、大型化傾向にあるピックアップを搭載しながらも、光ディスクドライブ装置の薄型化を図ることができるものといえる。
【００１１】
しかし、トラバースユニットの回動上昇によって光ディスクをターンテーブルに係合させる際に、光ディスクはトラバースユニットの回動上昇力によって、センタ孔を挟んでピックアップの停止方向とは逆の方向を引き上げられ傾くことがある。この場合、光ディスクの傾きは、ピックアップを停止している光ディスクの外周側が下がる状態となる。そのため、光ディスクがピックアップに当接する状況を生じてしまい、光ディスクの損傷する懸念を呈する状況にある。しかるに、この問題については何らの対応もなされていない。
【００１２】
特許文献２に記載されているディスク装置は、光ディスクに何らかの外乱が加わった状況において、光ディスクがディスク保持回転手段の支持面に対し傾いた場合のディスクの損傷を軽減する方法として、ディスクの傾きを規制する凸部をディスクの最外周の未記録領域に対向して設けるというものである。また、この規制部材を既存の部材の一体加工により構成することが可能であることから、コスト的な観点でも遜色のないものである。ただ、ディスクを強制的に規制する方法であるため、損傷や磨耗による粉塵等の問題が皆無と言う状況ではない。  
本発明は、光ディスクのターンテーブルへの装着時に光ディスクの傾きによるピックアップとの接触を回避し、光ディスクの損傷を防止する方法として、ピックアップとディスクの動作に対応してピックアップの位置を制御するものであり、特別な部材を設けることなく、従来技術における課題を解消する光ディスクドライブ装置を提供することにある。
【課題を解決するための手段】
【００１３】
本発明は以下の構成により、上記課題を解決するものである。
【００１４】
本発明の光ディスクドライブ装置は、光ディスクドライブ装置の筐体の前面と該筐体の内部との間で光ディスクを進退自在に挿入、排出するディスク搬送部材と、筐体内部において光ディスクを回転自在に装着するターンテーブルと、ターンテーブルに装着された光ディスクに対し径方向に摺動自在に移動して光ディスクに情報を記録あるいは再生するピックアップと、ピックアップとターンテーブルとを搭載して回動自在に昇降するトラバースユニットとを有する光ディスクドライブ装置において、
光ディスクとターンテーブルのチャキングを解除するためにトラバースユニットを回動して降下させる際に、トラバースユニットを回動降下する工程の前あるいは工程中においてピックアップを光ディスクの外周方向の所定の位置に移動させ、トラバースユニットの降下完了時点におけるピックアップの保持位置がトラバースユニットの最下点位置よりも上方に位置するようにし、
光ディスクとターンテーブルのチャキングを行うためにトラバースユニットを回動させて上昇させる際に、トラバースユニットが回動して上昇する工程の前において、光ディスクのターンテーブルへのチャキング時に生じる光ディスクの傾きに関わらずピックアップを光ディスクと接触しない光ディスクの内周方向の所定の位置に移動させた後に、トラバースユニットを上昇させ、トラバースユニットの上昇完了時点におけるピックアップの停止位置を前記光ディスクの最内周の情報の記録、あるいは再生の開始する位置に移動させている。    
【発明の効果】
【００１５】
本発明の光ディスクドライブ装置は、光ディスクのターンテーブルへのチャキング時に光ディスクの傾きが生じても、光ディスクとピックアップとの接触を回避して光ディスクの損傷を防止できると伴に、光ディスクの情報を記録、あるいは再生する立ち上がりの時間的ロスの少ない操作性の良い、低コストで信頼性の高い光ディスクドライブ装置を提供することができる。
【発明を実施するための最良の形態】
【００１６】
以下、本発明を実施形態について図面を参照に説明する。
【００１７】
図1は、本発明の光ディスクドライブ装置に挿入された光ディスクをターンテーブルにチャキングする前工程のトラバースユニットの状態を示した概略説明図である。図２は、本発明のトラバースユニットを回動上昇する際のピックアップの移動状態を示した図である。図３は、本発明の光ディスクがターンテーブルにチャキングされた際のピックアップの状態を示した図である。図４は、本発明の光ディスクがターンテーブルとのチャキングの際に傾いた場合のピックアップの状態を示した図である。
【００１８】
図１において、光ディスク２は、光ディスクドライブ装置1の前面開口部１１から矢印イ方向に挿入され、図示しないディスク搬送部材によって光ディスクドライブ装置１内の所定（図示）の位置に移送される。移送された光ディスク２に対し情報を記録あるいは再生するピックアップ３と光ディスク２を回転自在に装着するターンテーブル４を搭載して回動自在に昇降するトラバースユニット５は、この時点で、光ディスク２の所定の位置への移送を阻害しないように回動降下した状態に設定されている。光ディスクドライブ装置１内でこのトラバースユニット５の下方には、回路基板６が搭載されている。各種の記録方式の光ディスクに対応するためピックアップ３が大型化しながら、従来のように図１中の破線で記したようにピックアップ３が光ディスク２の内周側に保持されていると、このトラバースユニット５の回動降下によって回路基板６と接触することになる。これを回避するためにピックアップ３は、詳細を後述するが、トラバースユニット５の回動降下の操作される前工程おいて矢印ロ方向に移動され、光ディスク２の外周部分で保持されている。このピックアップ５の移動操作によって、回路基板６の配置等に何らの変更を要請することなく、光ディスクドライブ装置１の薄型、低コスト化を可能にするものである。
【００１９】
ここで、本発明の光ディスクドライブ装置１の動作を図５,及び図６によって説明する。図５は、本発明の光ディスクドライブ装置１の動作の流れを説明した図である。図６は、光ディスクの傾きによるピックアップとの接触を回避するためのピックアップの移動を説明した図である。
【００２０】
図５の動作の流れ説明図において、光ディスク２を光ディスクドライブ装置1の前面の開口部１１より挿入する（５０１ステップ）(以降「ステップ」の文言は割愛)。光ディスク２の挿入を光ディスクドライブ装置１内の第１の検知手段によって検知し（５０２）、ディスク搬送部材が光ディスク１を保持してターンテーブル４にチャキングされる位置まで移送する（５０３）。光ディスク２がディスク搬送部材によって所定の位置まで移送されると第２の検知手段が光ディスク２の移送完了を検知する（５０４）。この第２の検知手段からの検知信号によって、光ディスク２をターンテーブル４へのチャキング操作に入るが、まず、ターンテーブル４による光ディスク２のチャキング操作によって光ディスク２に傾きが生じた場合に光ディスク２とピックアップ３の当接を回避するために図２に示すようにピックアップ３が光ディスク２の外周の保持位置より、内周側に向けて矢印（ハ）方向に移動する（５０５）。ここで、ピックアップ３を光ディスク２の内周側に移動操作すると同時あるいは所定時間後のピックアップ移動行程中にトラバースユニット５を回動上昇する（５０６）。トラバースユニット５の回動上昇によって、光ディスク２はトラバースユニット５に載置されたターンテーブル４にチャキングされる（５０８）。ここで、ピックアップ３が光ディスク２の内周端部に移動されたことを第３の検知手段で検知して（５０８）、ピックアップ３は光ディスク２の内周端部に対向配置された状態で停止する（５０９）。すなわち、図３に示すようにピックアップ３が光ディスク２の記録、あるいは再生が可能な状態に設定される（５１０）。
【００２１】
図3に示される状態から、光ディスク２への記録、再生が行われ（５１１）、所望の記録、再生が終了する（５１２）。ここで、例えば、光ディスク２の排出操作を指示する（５１３）と、まず、ピックアップ３が光ディスク２の外周部に向かって移動する（５１４）。ピックアップ３が光ディスク２の外周端部に移送されたことを第４の検知手段によって検知して（５１５）、ピックアップ３が停止、保持される（５１６）とともに、トラバースユニット５の回動降下を行い（５１７）、トラバースユニット５の降下完了を第５の検知手段で検知して（５１８）、ディスク搬送部材が光ディスク２を保持して光ディスクドライブ装置１の開口部１１まで移送し（５１９）、光ディスク２の排出完了を検知し、ディスク搬送部材の移動を停止する（５２０）。
【００２２】
以上のように光ディスクドライブ装置１が動作を行うことによって、図４に示すように、トラバースユニット５の回動上昇によって、光ディスク２のピックアップ３側を下側に傾けてしまう場合にも、ピックアップ３が光ディスク２の内周側に移動しているために、光ディスク２がピックアップ３に当接することなく、光ディスク２を傷付けることがないものである。
【００２３】
ただ、本発明のピックアップ３の操作方法において、ピックアップ３の内周側への移動と、トラバースユニット５の回動上昇のタイミングあわせは、光ディスクドライブ装置１の薄型化が進むにつれて、微妙に厳しい状況の設定を要求される場合も想定される。すなわち、ピックアップ３の内周側への移動がトラバースユニット５の回動上昇タイミングより早目になるとピックアップ３が回路基板６に当接する危険性があり、逆に遅目になるとピックアップ３が光ディスク２と当接する危険性がある。この最適なタイミングを設定する代わりに、図6に示すように、ピックアップ３の内周側への移動を２段階に設定する方法が考えられる。まず、矢印（１）に示すように、ピックアップ３の光ディスク２の内周側への移動をトラバースユニットの下降状態において行い、回路基板６に当接しない所定の位置への移動設定をピックアップ移動機構の駆動時間や駆動距離等の制御、計数によって行い、一旦停止させる。ピックアップ３の所定位置への移動後に、トラバースユニット５を回動上昇させることにより、ピックアップ３と光ディスク２の傾きによる当接を回避させた位置で矢印（２）方向に移動する。トラバースユニット５の上昇完了によってタ−ンテーブル４に光ディスク２がチャキングされる。チャキングの完了とともに、ピックアップ３を矢印（３）の光ディスク２の最内周方向に移動して記録、再生状態に設定する（５１０）が、トラバースユニット５の回動上昇とともにピックアップ３の最内周側の移動を開始しても良いことは言うまでもない。
【００２４】
また、上記動作方法において、光ディスクの排出は、光ディスク２の排出操作を指示する（５１２）ことによって行われる例を示したが、所望の記録,再生が終了する（５１２）とともに光ディスク２の排出のための搬送操作（５１９）が行われても良い。
【００２５】
また、ピックアップ３を光ディスク２の外周端部に移送する（５１４）操作はトラバースユニット５の回動降下する（５１７）操作より前に行っても、同時に行っても良い。
【図面の簡単な説明】
【００２６】
【図１】本発明の光ディスクドライブ装置に挿入された光ディスクをターンテーブルにチャキングする前のトラバースユニットの状態を示した概略説明図である。
【図２】本発明のトラバースユニットを回動上昇する際のピックアップの移動状態を示した図である。
【図３】本発明の光ディスクがターンテーブルにチャキングされて際のピックアップの状態を示した図である。
【図４】本発明の光ディスクがターンテーブルとのチャキングの際に傾いた場合のピックアップの状態を示した図である。
【図５】本発明の光ディスクドライブ装置の動作の流れを説明した図である。
【図６】光ディスクの傾きによるピックアップとの接触を回避するためのピックアップの移動を説明した図である。
【符号の説明】
【００２７】
１  光ディスクドライブ装置
２  光ディスク
３  ピックアップ
４  ターンテーブル
５  トラバースユニット
６  回路基板
【図１】
2008077694.tif 000003
【図２】
2008077694.tif 000004
【図３】
2008077694.tif 000005
【図４】
2008077694.tif 000006
【図５】
2008077694.tif 000007
【図６】
2008077694.tif 000008